【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
キャンペーンメッセージを選択して、受信者に送信するコンピュータで実現される方法において、
前記受信者がキャンペーンメッセージを受信する適格性を有するか否かを決定し、
前記受信者がキャンペーンメッセージを受信する適格性を有する場合、アクティブキャンペーンに対するキャンペーンスコアを取得し、
前記キャンペーンスコアが予め定められた基準を満たすか否かを決定し、
前記キャンペーンスコアが予め定められた基準を満たす場合、前記アクティブキャンペーンと関連するキャンペーンメッセージを選択して前記受信者に送信することを含む方法。
【請求項２】
前記予め定められた基準は、しきい値のキャンペーンスコアと等しいか、もしくは、しきい値のキャンペーンスコアを上回る前記キャンペーンのスコアである請求項１記載の方法。
【請求項３】
アクティブキャンペーンに対するキャンペーンスコアを取得することは、
アクティブキャンペーンに対する前記キャンペーンスコアを平均スコアに設定し、
前記アクティブキャンペーンの後のパフォーマンスに基づいて前記キャンペーンスコアを更新することを含む請求項１の方法。
【請求項４】
アクティブキャンペーンに対するキャンペーンスコアを取得することは、
アクティブキャンペーンに対する前記キャンペーンスコアを、同様のタイプの少なくとも１つの他のキャンペーンのキャンペーンスコアに設定し、
前記アクティブキャンペーンの後のパフォーマンスに基づいて前記キャンペーンスコアを更新することを含む請求項１記載の方法。
【請求項５】
アクティブキャンペーンに対するキャンペーンスコアを取得することは、
複数のキャンペーンに対するキャンペーンスコアを組み合わせ、
前記複数のキャンペーンの後のパフォーマンスに基づいて前記キャンペーンスコアを更新することを含む請求項１記載の方法。
【請求項６】
アクティブキャンペーンに対するキャンペーンスコアを取得することは、
テストキャンペーンを受信するであろう適格性を有する受信者のテストグループを識別し、
テストキャンペーンを受信しないであろう適格性を有する受信者の制御グループを識別し、
テストキャンペーンを前記テストグループに送信し、
テストキャンペーンを受信した前記テストグループの挙動とテストキャンペーンを受信しなかった制御グループの挙動とを比較し、
前記比較に基づいて前記キャンペーンスコアを更新することを含む請求項１記載の方法。
【請求項７】
前記キャンペーンメッセージは、電子メールメッセージ、ショートメッセージサービスメッセージ、ＷＡＰメッセージ、インスタントメッセンジャーメッセージ、オーディオメッセージからなるグループから選択される請求項１記載の方法。
【請求項８】
請求項１記載の方法により選択されたキャンペーンメッセージ。
【請求項９】
キャンペーンを処理するコンピュータで実現される方法において、
複数のアクティブキャンペーンに対するプランニング期間を規定し、
前記プランニング期間中に前記複数のアクティブキャンペーンからキャンペーンメッセージを受信する適格性を有する各受信者を識別し、
複数の将来のキャンペーンに対するルックアヘッド期間を規定し、
前記ルックアヘッド期間中に前記複数の将来のキャンペーンからキャンペーンメッセージを受信する適格性を有する各受信者を識別し、
キャンペーンメッセージを受信する適格性を有する各受信者に対して、前記プランニング期間中の複数のアクティブキャンペーンと前記ルックアヘッド期間中の複数の将来のキャンペーンとから選択されたベストキャンペーンを受信者に割り当てることを含む方法。
【請求項１０】
ベストキャンペーンは、最高のキャンペーンスコアを有するプランニング期間からのアクティブキャンペーンである請求項９記載の方法。
【請求項１１】
ルックアヘッド期間からの何らかの将来のキャンペーンがベストキャンペーンより高いキャンペーンスコアを有するか否かを決定し、
そのような各将来のキャンペーンに対して、将来のキャンペーンのキャンペーンスコアを現在の値にディスカウントし、
最高のディスカウントされたキャンペーンスコアを有する将来のキャンペーンがベストキャンペーンより良いか否かを決定することをさらに含む請求項１０記載の方法。
【請求項１２】
最高のディスカウントされたキャンペーンスコアを有する将来のキャンペーンが、ベストキャンペーンより良いものである場合、受信者はベストキャンペーンへの割り当てを延期される請求項１１記載の方法。
【請求項１３】
キャンペーンスコアを自動的に決定するコンピュータで実現される方法において、
現行プランニング期間に対するテストキャンペーンを取得し、
適格性を有するテスト受信者に前記テストキャンペーンを割り当て、
前記適格性を有するテスト受信者の一部をテスト制御グループとして指定し、
割り当てられた適格性を有するテスト受信者の指定されていない一部にテストキャンペーンメッセージを送信し、
前記テストキャンペーンメッセージが送信された後に、割り当てられた適格性を有するテスト受信者の指定されていない一部のアクションとテスト制御グループのアクションとを区別することによって、前記テストキャンペーンに対するテストキャンペーンスコアを計算し、
前記テストキャンペーンをアクティブキャンペーンに更新し、
アクティブキャンペーンのアクティブキャンペーンスコアとして、前記テストキャンペーンスコアを割り当てることを含む方法。
【請求項１４】
テストキャンペーンに対する前記割り当てられた適格性を有する受信者の指定されていない一部とテスト制御グループとの前記アクションを測定するメトリックを発生させることをさらに含み、前記メトリックは、メッセージ当たりの収益、メッセージ当たりの購入と、購入当たりの収益からなるグループから選択されるメトリックを含む請求項１３記載の方法。
【請求項１５】
前記テストキャンペーンスコアは、他キャンペーンのメトリックからの前記メトリックの標準偏差値に対応する請求項１４記載の方法。
【請求項１６】
キャンペーンメッセージを選択して受信者に送信するコンピュータシステムにおいて、
キャンペーンメッセージを記憶するデータベースと、
前記データベースと通信する送信側サーバとを具備し、
前記送信側サーバは、
前記受信者が、前記データベースに記憶されたキャンペーンメッセージを受信する適格性を有するか否かを決定し、
前記受信者がキャンペーンメッセージを受信する適格性を有する場合、アクティブキャンペーンに対するキャンペーンスコアを取得し、
前記キャンペーンスコアが予め定められた基準を満たすか否かを決定し、
前記キャンペーンスコアが予め定められた基準を満たす場合、前記アクティブキャンペーンに関連するキャンペーンメッセージを選択して、前記受信者に送信するように構成されたコンピュータシステム。
【請求項１７】
前記送信側サーバと通信し、前記アクティブキャンペーンからのキャンペーンメッセージが前記送信側サーバによる送信のために選択されるように前記アクティブキャンペーンを登録する登録サーバをさらに具備する請求項１６記載のシステム。
【請求項１８】
前記送信側サーバと通信し、どれくらいの頻度で前記受信者が前記送信側サーバより送信されるキャンペーンメッセージを受信するかを調整するインボックスマネージャーサーバをさらに具備する請求項１６記載のシステム。
【請求項１９】
前記送信側サーバと通信し、前記アクティブキャンペーンの後のパフォーマンスを測定するメトリックサーバをさらに具備する請求項１６記載のシステム。